(57)【要約】      （修正有）【課題】装置内部を効率的に冷却できる冷却装置及び画像形成装置を提供することができる。【解決手段】外カバー８８の下端には、内カバー８６の被挿入部９４に挿入される挿入部９６が被挿入部９４と同数形成されている。外カバー８８の上端には、内カバー８６の上端８６ｃに引っ掛ける爪部８８aと、内カバー８６の突起８６ｄに接触される突起８８ｂが形成されている。すなわち、内カバー８６の被挿入部９４に外カバー８８の挿入部９６が挿入され、外カバー８８の上端の爪部８８aが、内カバー８６の上端８６ｃに引っ掛けられ、外カバー８８の突起８８ｂが内カバー８６の突起８６ｄに接触されることで、内カバー８６と外カバー８８は結合される。前記内カバー８６と外カバー８８は、装置本体内に連通する通気部を構成する。【選択図】図４
2011022310.tif 000002
【特許請求の範囲】
【請求項１】
装置本体と、この装置本体に備えられた開閉部と、を有し、前記開閉部は、内カバーと外カバーとを有し、前記内カバーと外カバーは、装置本体内に連通する通気部を構成する冷却装置。
【請求項２】
前記内カバーは、前記外カバーに挿入される被挿入部を有し、前記外カバーは、前記内カバーに挿入する挿入部を有し、前記挿入部に前記被挿入部が挿入されることにより結合部が構成される請求項１記載の冷却装置。
【請求項３】
前記結合部間には、下側に開口する開口部が形成される請求項１又は２記載の冷却装置。
【請求項４】
前記内カバーには、装置本体内に外気を流入させる通気孔が形成される請求項１乃至３いずれか記載の冷却装置。
【請求項５】
前記内カバーと前記外カバーとは、少なくとも３点で固定される請求項１乃至４いずれか記載の冷却装置。
【請求項６】
画像形成装置本体と、この画像形成装置本体に備えられた開閉部と、熱源と、前記熱源を冷却する送風部と、を有し、前記開閉部は、内カバーと外カバーとを有し、前記内カバーと外カバーは、装置本体内に連通する通気部を構成する画像形成装置。
【発明の詳細な説明】
【技術分野】
【０００１】
本発明は、冷却装置及び画像形成装置に関する。
【背景技術】
【０００２】
特許文献１は、画像形成装置の機器本体の一側面あるいは後面に吸気口４を有すると共に、機器本体の他側面に排気口５を有し、該吸気口から該排気口までが同一経路で直結され、且つ、該排気口近くにメインファン６を有するメインダクト１を備え、メインダクトから分岐させて前方へ導出するとともに、枝ダクト３の吸引口３ａ（８）を機器本体前面に設けた構成を開示する。
また、特許文献２は、前カバー２４の側面に設けられ、外気を装置本体内に取り入れる吸気口１８と、左カバー２８に設けられ、装置本体２３内の空気を装置本体外へ排気する排気口１９と、吸気口１８と排気口１９とを結んだ略直線上に設けられ、装置本体内の空気を排気口１９に導いて装置本体外へ排気する軸流ファン１５とを備える構成を開示する。
【先行技術文献】
【特許文献】
【０００３】
【特許文献１】特開平１０−２６８７３５号公報
【特許文献２】特開２００３−０７６２５３号公報
【発明の概要】
【発明が解決しようとする課題】
【０００４】
本発明の目的は、装置内部を効率的に冷却できる冷却装置及び画像形成装置を提供することにある。
【課題を解決するための手段】
【０００５】
上記目的を達成するために、請求項１に係る本発明は、装置本体と、この装置本体に備えられた開閉部と、を有し、前記開閉部は、内カバーと外カバーとを有し、前記内カバーと外カバーは、装置本体内に連通する通気部を構成する冷却装置である。
【０００６】
請求項２に係る本発明は、前記内カバーは、前記外カバーに挿入される被挿入部を有し、前記外カバーは、前記内カバーに挿入する挿入部を有し、前記挿入部に前記被挿入部が挿入されることにより結合部が構成される請求項１記載の冷却装置である。
【０００７】
請求項３に係る本発明は、前記結合部間には、下側に開口する開口部が形成される請求項１又は２記載の冷却装置である。
【０００８】
請求項４に係る本発明は、前記内カバーには、装置本体内に外気を流入させる通気孔が形成される請求項１乃至３いずれか記載の冷却装置である。
【０００９】
請求項５に係る本発明は、前記内カバーと前記外カバーとは、少なくとも３点で固定される請求項１乃至４いずれか記載の冷却装置である。
【００１０】
請求項６に係る本発明は、画像形成装置本体と、この画像形成装置本体に備えられた開閉部と、熱源と、前記熱源を冷却する送風部と、を有し、前記開閉部は、内カバーと外カバーとを有し、前記内カバーと外カバーは、装置本体内に連通する通気部を構成する画像形成装置である。
【発明の効果】
【００１１】
請求項１に係る本発明によれば、本構成を有していない場合に比較して、装置本体内の異物を混入することなく効率的に冷却できる冷却装置を提供することができる。
【００１２】
請求項２に係る本発明によれば、請求項１に係る本発明の効果に加えて、本構成を有していない場合に比較して、簡易な構成で外気を取り入れ、冷却できる。
【００１３】
請求項３に係る本発明によれば、請求項１又は２に係る本発明の効果に加えて、本構成を有していない場合に比較して、異物混入による破損を防止できる。
【００１４】
請求項４に係る本発明によれば、請求項１乃至３いずれかに係る本発明の効果に加えて、本構成を有していない場合に比較して、簡易な構成で冷却できる。
【００１５】
請求項５に係る本発明によれば、請求項１乃至４いずれかに係る本発明の効果に加えて、本構成を有していない場合に比較して、開閉部の開閉に伴う負担を軽減することができる。
【００１６】
請求項６に係る本発明によれば、本構成を有していない場合に比較して、装置本体内の異物を混入することなく効率的に冷却できる画像形成装置を提供することができる。
【図面の簡単な説明】
【００１７】
【図１】本発明の一実施形態の画像形成装置１０を示す側面図である。
【図２】本発明に係る実施形態に用いたフロントカバー８４を開いた状態を示す斜視図である。
【図３】本発明に係る実施形態に用いたフロントカバー８４を示す斜視図であり、（ａ）は内カバー８６と外カバー８８を装着する前、（ｂ）は内カバー８６と外カバー８８を装着した後を示す。
【図４】本発明に係る実施形態に用いたフロントカバー８４周辺を示す断面図である。
【発明を実施するための形態】
【００１８】
次に、本発明の一例としての実施の形態について図面を参照して詳細に説明する。
図１は本発明の一実施形態の画像形成装置１０を示す側面図である。図１の画像形成装置１０は、画像形成装置１０の正面側の側面図である。また、外装カバー８７等が省かれて画像形成装置１０の内部の構造が表されたものである。画像形成装置１０は、装置本体１２を有し、この装置本体１２内に例えば４つの像形成ユニット１４と転写ユニット１６とが配設されている。
【００１９】
像形成ユニット１４は、イエロー用、マゼンダ用、シアン用及びブラック用の４つがあり、それぞれが並列配置されている。それぞれの像形成ユニット１４は、像保持体として用いられる感光体１８と、この感光体１８を帯電するための例えばロールから構成された帯電装置２０と、例えばＬＥＤ（ｌｉｇｈｔ  ｅｍｉｔｔｉｎｇ   ｄｉｏｄｅ：発光ダイオード）を備えて感光体１８上に潜像を形成する露光装置２２と、露光装置２２により形成された感光体１８上の潜像を現像剤により現像する現像装置２４と、転写後に感光体１８上に残った現像剤を清掃除去する清掃装置２６とを有する。
【００２０】
転写ユニット１６は、中間転写ベルト２８を有する。この中間転写ベルト２８は複数の支持ロール３０により支持された状態で図中時計方向に回転する。この中間転写ベルト２８を挟んで、感光体１８に対向して一次転写ロール３２が配置されている。また、この中間転写ベルト２８を挟んで、一つの支持ロール３０に対向して二次転写ロール３４が配置されている。
【００２１】
画像形成装置本体１２の下部には用紙供給装置３６が設けられている。用紙供給装置３６は、用紙が積載される用紙供給台３８と、用紙供給台３８に積載された用紙を引き出すピックアップロール４０と、用紙を捌きながら送り出すフィードロール４２及びリタードロール４４とを有する。
【００２２】
画像形成装置本体１２の一端付近（図中左端付近）には、用紙供給路４６が略鉛直方向に沿って設けられている。用紙供給路４６に沿って搬送ロール４８、レジストロール５０、二次転写ロール３４、定着装置５２及び排出ロール５４が設けられている。レジストロール５０は、用紙供給路４６へ送り出された用紙を一時的に停止させ、タイミングをとって二次転写ロール３４へ送り出す。定着装置５２は、加熱ロール５６と加圧ロール５８とを有し、熱と圧力を加えることにより用紙に現像剤像を定着する。
【００２３】
画像形成装置本体１２の上部には、排出部６０が設けられている。前述した排出ロール５４により排出部６０へ現像剤像が定着された用紙が排出部６０に排出され、排出部６０に排出された用紙が積層される。
【００２４】
４つの現像剤収容装置６２は、例えば中間転写ベルト２８の上方に配置され、それぞれがイエロー、マゼンダ、シアン及びブラックの現像剤を収容している。現像剤収容装置６２に収容された現像剤は、それぞれが図示しない現像剤供給装置を介して前述した現像装置２４に供給される。現像剤収容装置６２は、現像剤を収容させた現像剤収容体６４を有する。現像剤収容装置６２は、画像形成装置本体１２に形成された被挿入部６６に画像形成装置１０の正面側から背面側に向けて挿入されている。
【００２５】
また、画像形成装置本体１２には、開閉部であるフロントカバー８４が備えられている。フロントカバー８４は、下部をヒンジとして上方から開放される。フロントカバー８４を開くことで、現像剤収容装置６２の交換が可能となっている。
図２は、フロントカバー８４を開いた状態であり、外装カバー８７に形成された通気孔８０ａ周辺を示す斜視図である。
通気孔８０ａは、転写ユニット１６の上方に配置され、４つの現像剤収容装置６２に隣接して形成されている。通気孔８０aの奥には送風部であるファン８２が設けられている。
【００２６】
フロントカバー８４は、２重構造になっており、内カバー８６と外カバー８８とから構成される。
図３は、フロントカバー８４の斜視図であり、（ａ）は内カバー８６と外カバー８８を装着する前、（ｂ）は内カバー８６と外カバー８８を装着した後を示す。
内カバー８６は、凸部８６ａと凹部８６ｂを有し、凹部８６ｂには、後述する外カバー８８を装着させる被挿入部９４が複数形成されている。また、内カバー８６の上端８６ｃの近傍には、突起８６ｄが複数設けられている。また、凸部８６ａと凹部８６ｂとの境界は滑らかな斜面８６ｅが形成されている。また、内カバー８６には、フロントカバー８４が閉じられたときに通気孔８０aと対向する位置に通気孔８０ｂが形成されている。
外カバー８８の下端には、内カバー８６の被挿入部９４に挿入される挿入部９６が被挿入部９４と同数形成されている。
外カバー８８の上端には、内カバー８６の上端８６ｃに引っ掛ける爪部８８aと、内カバー８６の突起８６ｄに接触される突起８８ｂが形成されている。
すなわち、内カバー８６の被挿入部９４に外カバー８８の挿入部９６が挿入され、外カバー８８の上端の爪部８８aが、内カバー８６の上端８６ｃに引っ掛けられ、外カバー８８の突起８８ｂが内カバー８６の突起８６ｄに接触されることで、内カバー８６と外カバー８８は結合される。
【００２７】
図４は、フロントカバー８４周辺の断面図を示す。
内カバー８６と外カバー８８の結合部間には、開口部９０が複数形成される。開口部９０は、下側に開口している。内カバー８６と外カバー８８の間には通気部１００が形成される。通気部１００は、通気孔８０ｂ、通気孔８０ａを介して、装置本体１２内に連通している。
また、フロントカバー８４と装置本体１２の間には、衝撃吸収材としての例えばスポンジ１０１が設けられている。
すなわち、ファン８２が回転することで、開口部９０から外気が吸気され、内カバー８６と外カバー８８の間の通気部１００をダクトとして、通気孔８０ｂ及び通気孔８０ａを介して装置内に流入し、装置内部は冷却される。ここで、内カバー８６と外カバー８８の間の通気部１００をダクトとして装置内に外気を取り込むため、装置内の埃やトナー等の異物が装置内に混入されるのが防止される。
【００２８】
以上、本発明の実施形態について画像形成装置の一例としてプリンタを例示したが、これに限定されず、複写機、ＦＡＸ，あるいはこれら複数の機能を備えた複合機等に適用可能である。
【符号の説明】
【００２９】
１０    画像形成装置
１２    装置本体
８０ａ、８０ｂ  通気孔
８２    ファン（送風部）
８４    フロントカバー（開閉部）
８６    内カバー
８８    外カバー
９０    開口部
９４    被挿入部
９６    挿入部
１００  通気部
【図１】
2011022310.tif 000003
【図２】
2011022310.tif 000004
【図３】
2011022310.tif 000005
【図４】
2011022310.tif 000006